(57)【特許請求の範囲】
【請求項１】
複数の弾球遊技機が集まって１又は複数の遊技機群を形成した遊技場に設置され、操作部を有した弾球遊技機を遊技する際に使用する遊技機用ハンドレストであって、
各遊技機群には、弾球遊技機より下方の位置に載置棚が設けられ、
遊技機用ハンドレストは、ハンドレスト本体と、ハンドレスト本体を遊技機群に接続する接続手段を有し、接続手段の状態を変更することでハンドレスト本体の位置をハンドレスト使用時位置とハンドレスト不使用時位置に変更可能なものであって、
前記ハンドレスト本体は、手首を載置可能な載置部を有し、
前記載置部は、クッション性を有する素材で構成されており、
ハンドレスト本体がハンドレスト使用時位置にあるときは、ハンドレスト本体が載置棚の上面に載置され、ハンドレスト本体がハンドレスト不使用時位置にあるときは、ハンドレスト本体が載置棚の上面から離反した位置にあり、
さらに、ハンドレスト不使用時位置にあるときは、載置棚の下方位置にハンドレスト本体を収納可能であって、前記載置部が下方を向いており、
前記ハンドレスト本体を前記ハンドレスト不使用時位置から前記ハンドレスト使用時位置に変更する際には、ハンドレスト本体の位置を載置棚の厚みに合わせて上下方向に移動させて前記ハンドレスト本体を前記載置棚の上面に載置することを特徴とする遊技機用ハンドレスト。
【請求項２】
前記接続手段は、前記載置棚の下面に配される支持部材と、前記支持部材と前記ハンドレスト本体とを接続する接続部材を有し、
前記ハンドレスト本体を前記載置棚に載置する際に、前記支持部材に対して接続部材を相対的に引き出し、さらにハンドレスト本体の位置を載置棚の厚みに合わせて上下動させることを特徴とする請求項１に記載の遊技機用ハンドレスト。
【発明の詳細な説明】
【技術分野】
【０００１】
本発明は、遊技場で遊技者が使用する遊技機用ハンドレストに関するものであり、特に遊技機の前面に設けられる載置棚を清掃する際に邪魔になることのない遊技機用ハンドレストに関する。
【背景技術】
【０００２】
遊技者は長時間遊技を楽しむことが多く、例えば、パチンコを楽しむ場合、長時間ハンドルを操作し、同じ体勢を維持する必要がある。長時間ハンドルを操作し、同じ体勢を維持すると、しだいに手首に疲労がたまり、快適に遊技を楽しむことができない。そこで、従来から、手首の疲労を回避するために遊技機にハンドレストを設置している（例えば、特許文献１）。
【先行技術文献】
【特許文献】
【０００３】
【特許文献１】特開平８−１１２４０３号公報
【発明の概要】
【発明が解決しようとする課題】
【０００４】
特許文献１では、遊技機にハンドレストを取りつけ、遊技機とハンドレストが一体となる構成とされている。しかし、一般的に遊技場では集客効果を上げる手段として定期的に新台入れ替えや遊技機の配置替えを行うことが多く、特許文献１の構造では特に新台入れ替えを行う際には、新台入れ替えを行う度に、ハンドレスト付き遊技機を導入するか、遊技機とは別にハンドレストを取り付ける必要がある。即ち、特定のハンドレスト付きの遊技機を販売しているメーカーの遊技機しか導入できない。
【０００５】
そこで、発明者は、遊技機本体ではなく、遊技機を設置する遊技島自身にハンドレストを取り付けることを考え、遊技機の下方位置に存在する載置棚（膳板）の上面にハンドレストを設置することを試みた。この構成により、載置棚に設置するため、遊技機の新台入れ替えや遊技機の配置替えに左右されずに使用することを可能にした。しかし、ここで新たな問題が発生した。即ち載置棚の上面にハンドレストを設置すると、遊技を楽しむ際には快適に使えるが、閉店後などに行う清掃の際に、清掃の障害となり、隅々まで清掃を行うことができない。そのまま清掃せずに放置すると汚れが溜まり遊技者に不快感を与える恐れがあった。
【０００６】
そこで、本発明は上記課題を解決すべくなされたもので、新台の入れ替えや配置の変更等の遊技機の場所移動に左右されず、遊技機の前面に設けられる載置棚を清掃する際に邪魔になることのない遊技機用ハンドレストを提供することである。
【課題を解決するための手段】
【０００７】
上記課題を解決するため、請求項１に記載の発明は、複数の弾球遊技機が集まって１又は複数の遊技機群を形成した遊技場に設置され、操作部を有した弾球遊技機を遊技する際に使用する遊技機用ハンドレストであって、各遊技機群には、弾球遊技機より下方の位置に載置棚が設けられ、遊技機用ハンドレストは、ハンドレスト本体と、ハンドレスト本体を遊技機群に接続する接続手段を有し、接続手段の状態を変更することでハンドレスト本体の位置をハンドレスト使用時位置とハンドレスト不使用時位置に変更可能なものであって、前記ハンドレスト本体は、手首を載置可能な載置部を有し、前記載置部は、クッション性を有する素材で構成されており、ハンドレスト本体がハンドレスト使用時位置にあるときは、ハンドレスト本体が載置棚の上面に載置され、ハンドレスト本体がハンドレスト不使用時位置にあるときは、ハンドレスト本体が載置棚の上面から離反した位置にあり、さらに、ハンドレスト不使用時位置にあるときは、載置棚の下方位置にハンドレスト本体を収納可能であって、前記載置部が下方を向いており、前記ハンドレスト本体を前記ハンドレスト不使用時位置から前記ハンドレスト使用時位置に変更する際には、ハンドレスト本体の位置を載置棚の厚みに合わせて上下方向に移動させて前記ハンドレスト本体を前記載置棚の上面に載置することを特徴とする遊技機用ハンドレストである。
すなわち、請求項１に記載の発明は、複数の弾球遊技機が集まって１又は複数の遊技機群を形成した遊技場に設置され、操作部を有した弾球遊技機を遊技する際に使用する遊技機用ハンドレストであって、各遊技機群には、弾球遊技機より下方の位置に載置棚が設けられ、遊技機用ハンドレストは、ハンドレスト本体と、ハンドレスト本体を遊技機群に接続する接続手段を有し、接続手段の状態を変更することでハンドレスト本体の位置をハンドレスト使用時位置とハンドレスト不使用時位置に変更可能なものであって、ハンドレスト本体がハンドレスト使用時位置にあるときは、ハンドレスト本体が載置棚の上面に載置され、ハンドレスト本体がハンドレスト不使用時位置にあるときは、ハンドレスト本体が載置棚の上面から離反した位置にあることを特徴とする。
【０００８】
かかる構成によれば、載置棚に設置するため、遊技機の新台入れ替えや遊技機の配置替えに左右されない。使用時にはハンドレスト本体が載置棚の上面に載置されるため、遊技者がハンドレスト本体に自重を掛けたとしても、ハンドレストにかかった自重は載置棚によって支持されるため、ハンドレストとしての機能を維持できる。また、不使用時には、ハンドレスト本体が載置棚の上面から離反した位置に移動可能であるため、閉店後などに行う掃除の際に、特に載置棚の上面を隅々まで掃除を行うことができる。
【０００９】
請求項１に記載の発明は、不使用時位置にあるときは、載置棚の下方位置にハンドレスト本体を収納可能であることを特徴とする。
【００１０】
かかる構成によれば、載置棚の下方位置にハンドレスト本体を収納可能であるため、新台の入れ替えや配置の変更等の遊技機の設置の際に邪魔にならない。それ故に遊技機の設置をスムーズに行える。
請求項２に記載の発明は、前記接続手段は、前記載置棚の下面に配される支持部材と、前記支持部材と前記ハンドレスト本体とを接続する接続部材を有し、前記ハンドレスト本体を前記載置棚に載置する際に、前記支持部材に対して接続部材を相対的に引き出し、さらにハンドレスト本体の位置を載置棚の厚みに合わせて上下動させることを特徴とする請求項１に記載の遊技機用ハンドレストである。
【発明の効果】
【００１１】
本発明は、遊技機の前面に配される載置棚に設置するため、遊技機の新台入れ替えや遊技機の配置替えに左右されない。使用時にはハンドレスト本体が載置棚の上面に載置されるため、遊技者がハンドレスト本体に自重を掛けたとしても、ハンドレストにかかった自重は載置棚によって支持されるため、ハンドレストとしての機能を維持できる。また、不使用時には、ハンドレスト本体が載置棚の上面から離反した位置に移動可能であるため、閉店後などに行う掃除の際に、隅々まで掃除を行うことができる。
【図面の簡単な説明】
【００１２】
【図１】本実施形態に係る遊技場の構造を備えた遊技場の状況を示す説明図である。
【図２】遊技機を遊技した状況を示す説明図である。
【図３】本発明の第１実施形態に係る遊技機用ハンドレストを示す斜視図である。
【図４】図３の遊技機用ハンドレストの分解斜視図である。
【図５】本発明の第１実施形態に係る支持部材を示す拡大図である。
【図６】図４のＡ−Ａ面を示す支持部材の断面図である。
【図７】図４のＢ方向から見た第１接続部材の矢視図である。
【図８】図４のＣ方向から見たハンドレスト本体の矢視図である。
【図９】図８のハンドレスト本体のＤ−Ｄ断面図である。
【図１０】第１接続部材と第２接続部材の接続構造の説明図である。
【図１１】第２接続部材とハンドレスト本体の接続構造の説明図である。
【図１２】本発明の第１実施形態に係る遊技機用ハンドレストの設置動作の概念図である。（ａ）設置前の説明図であり、（ｂ）設置過程の説明図であり、（ｃ）設置後の説明図である。
【図１３】本発明の第１実施形態に係る遊技機用ハンドレストの設置位置の調整動作の概念図である。（ａ）載置棚の厚さが薄い場合の調整動作の説明図であり、（ｂ）載置棚の厚さが厚い場合の調整動作の説明図である。
【図１４】本発明の第２実施形態に係る第１接続部材と支持部材の関係を示す説明図である。
【図１５】本発明の第３実施形態に係る遊技機用ハンドレストを示す斜視図である。
【図１６】本発明の第３実施形態に係る遊技機用ハンドレストの設置動作の概念図である。（ａ）設置前の説明図であり、（ｂ）設置後の説明図である。
【図１７】本発明の第３実施形態に係る遊技機用ハンドレストを設置した際の変形例である。
【発明を実施するための形態】
【００１３】
以下に本発明の実施形態について詳細に説明する。
なお、以下の説明において、特に断りがない限り、上下左右の位置関係は、通常の設置位置を基準に説明する。即ち、図２において左右方向を左右、上下方向を上下、紙面に対して手前奥方向を前後と表す。
【００１４】
本実施形態の遊技場の構造は、主に複数の弾球遊技機（所謂パチンコ機）１５０を１つの群とした所謂遊技島１５１に適した構成であり、ホール内においてはその遊技島１５１が複数配されて形成されている。そこで、以下の説明においては、理解を容易にするために、１つの遊技島１５１に注目して説明する。
【００１５】
即ち、図１に示すように、遊技島１５１においては、所定台数分（図１では５台分）の遊技機取り付け部１５２が設けられており、その各遊技機取り付け部１５２に１台ずつパチンコ機１５０が設置されている。具体的には、遊技島１５１においては、所定の台数のパチンコ機１５０が２列（図１の正面側に１列、背面側に１列）に配され、各列にパチンコ機１５０が並設されている。そして、各パチンコ機１５０に対向する位置に遊技者が着座可能な椅子（図２）が１脚ずつ配置されている。
なお、遊技島１５１の内部においては、柱や梁などの構造体の他、各パチンコ機１５０に遊技媒体（以下、単に玉と言う）を搬送する玉搬送装置（図示しない）、各パチンコ機１５０から回収された玉が一時的に貯留される貯留タンク（図示しない）、回収された玉の汚れを除去し磨く玉研磨装置（図示しない）等のパチンコ機１５０を動作させる際に関連する機器が配されているが、本発明においては特に関係がないため説明を省略する。
【００１６】
ところで、通常の遊技島においては、パチンコ機１５０よりも下方であって、並設されたパチンコ機１５０の全体に渡って玉箱を載置可能な載置棚（膳板）１００（図２）が設けられている。
【００１７】
本実施形態に係るハンドレスト１は、パチンコ機１５０のハンドル１５３の下方位置に設けられるものであり、使用時には図２のように載置棚１００の上面１０２に設置するものである。また、本実施形態に係るハンドレスト１は、不使用時には載置棚１００の下面に設置されるものである。ハンドレスト１は、図３のように一対の支持部材２（接続手段）と第１接続部材３（接続手段）と第２接続部材５（接続手段）とハンドレスト本体６とを備えており、それらを第１締結部材８、第２締結部材１０によって接続している。
【００１８】
以下、各構成部材について説明する。まず、支持部材２の構成について説明する。
支持部材２は、図３のように長尺状の部材であり、収納時にハンドレスト本体６等を支える部材である。支持部材２は対をなす支持部材２ａ、２ｂからなる。支持部材２ａ、２ｂは図６のようにそれぞれ断面形状が「コ」の字型をしており、内側に可動空間７ａ、７ｂを有している。可動空間７は、内側底面１５と張出部１１、１２によって囲まれた空間である。可動空間７は支持部材２の長手方向全体に亘り形成されている。張出部１１、１２のハンドレスト本体６側の端部は部分的に可動空間７側に傾斜している。即ち、支持部材２は図５のように張出部１１、１２付近の間隔は先端部に向かって幅が狭くなっており、後述する第１接続部材３の突出部２１を係止する係止部１６を有する。また、支持部材２の材質はハンドレスト本体６等の重量に耐えられる強度を有していれば、特に限定されない。例えば、ステンレス鋼等が採用できる。
【００１９】
次に、第１接続部材３の構成について説明する。
第１接続部材３は、支持部材２に対して相対的に支持部材２の長手方向に移動可能な部材である。第１接続部材３は、図４のように左右方向から見て断面形状がトラック状の棒体である。なお、ここでいうトラック状とは、長方形における２本の短辺を、それぞれ半円に置き換えた形状のことを示す。
第１接続部材３は図７のように第１接続部材３の長辺方向の一方の端部（図７上側）と、長辺方向中間部付近に、第１接続部材３の正面１７及び裏面１８から厚さ方向外側に突出した突出部２０、２１を有している。また、第１接続部材３の長辺方向の他方の端部（図７下側）には第１接続部材３の厚さ方向の中央付近に切り欠き部２２を有している。即ち、第１接続部材３の端部は二股に分かれた二股部２３ａ、２３ｂを有している。二股部２３ａ、２３ｂ間の間隔は第２接続部材５の厚みとほぼ同じかやや大きい。
【００２０】
二股部２３ａ、２３ｂの各端部には、図４、７のように円形の第１貫通孔２５が設けられており、第１接続部材３の正面１７には第１貫通孔２５の周りに収納溝２６が設けられている。収納溝２６の大きさは第１接続部材３と第２接続部材５を接続した時に第１締結部材８のボルト２７の頭部３０が収納可能な大きさである。また、第１接続部材３の裏面１８には第１貫通孔２５の周りに収納溝３２が設けられており、収納溝３２の大きさは第１締結部材８のナット２８が収納溝３２に収納可能な大きさである。
【００２１】
第１貫通孔２５は断面形状が円形であり、第１貫通孔２５の内径は第１締結部材８のボルト２７の胴部３１の外径と同じかやや大きく、第１締結部材８のボルト２７の頭部３０の外径よりも小さい。
【００２２】
また、二股部２３ａ、２３ｂの第１貫通孔２５の位置は互いに対応しており、第１締結部材８が２つの第１貫通孔２５に亘って挿入可能な位置である。即ち、厚さ方向に第１接続部材３全体を貫通した第１貫通孔２５を有している。
【００２３】
また、図４、６、７のように突出部２０、２１はともに円柱状をしており、その外径は支持部材２の張出部１１、１２間の距離にほぼ等しく、その高さは可動空間７の内側底面１５からの張出部１１、１２の先端部までの高さにほぼ等しい。突出部２０、２１の表面は固体潤滑性を有する膜で覆われている。即ち、突出部２０、２１の表面は固体潤滑性を有している。
【００２４】
第１締結部材８は、図４のようにボルト２７とナット２８とを備えており、ボルト２７には円板状の頭部３０と略円柱状の胴部３１を有しており、頭部３０と胴部３１では外径が異なる。ボルト２７の頭部３０の外径は胴部３１に比べて大きい。ボルト２７の胴部３１の長さは第１接続部材３の幅とおよそ同じである。また、ボルト２７の胴部３１には、頭部３０側から順に、図示しないブッシュを備えた基軸部８１とネジ状の螺合部８２を備えている。基軸部８１の長さは第１接続部材３の収納溝２６の底面から収納溝３２の底面までの間の距離とほぼ等しい。螺合部８２の長さはナット２８の厚みとほぼ等しい。
【００２５】
次に第２接続部材５の構成について説明する。
第２接続部材５は、図４のように左右方向から見て断面形状がトラック状の板体をしており、長辺方向の両端部付近に第２貫通孔３３と第３貫通孔３５を有している。第２貫通孔３３の内径は第１締結部材８のボルト２７の胴部３１の外径とほぼ同じかやや大きい。第３貫通孔３５の内径は第２締結部材１０のボルト３６の胴部３８の外径と同じかやや大きい。第２接続部材５の厚さは第１接続部材３の切り欠き部２２の幅と等しい。即ち、二股部２３ａ、２３ｂの内側側面同士の距離と等しい。第２接続部材５の第２貫通孔３３と第３貫通孔３５の中心間の距離は載置棚１００の厚さよりも大きい。
【００２６】
次にハンドレスト本体６の構成について説明する。
ハンドレスト本体６は手首を載置する載置部５０と載置棚１００に載置する骨格部５１を有している。載置部５０は、図４のように断面形状が略方形状であり、載置面５２側の角部が緩やかな丸みを帯びている。載置部５０は衝撃を緩和するクッション性の高い図示しない緩衝材を有し、その緩衝材を布地、革、又は合皮等の図示しない被覆部材で覆った構成とされている。緩衝材の材質は衝撃を緩和するクッション性に優れたものであれば材料は特に限定されない。例えば、ウレタンやスポンジなどを用いることができる。載置部５０は緩衝材にクッション性に優れたものを用いているため、長時間ハンドルを操作していても、載置部５０に力が分散されるため、手首に疲労が溜まりにくい。
骨格部５１は、図８、９のように長手方向端部で短手方向中央付近に接続溝５３を有している。接続溝５３は骨格部５１の載置部５０との境界付近から骨格部５１の内部に向かって緩やかな放物線状の溝である。接続溝５３の幅は第２接続部材５の厚みとほぼ同じかやや大きい。
【００２７】
骨格部５１の接続溝５３側の端部には、図４、８のように、接続溝５３から正面５７、接続溝５３から裏面５８に向けて第４貫通孔５６が設けられており、ハンドレスト本体６の正面５７には第４貫通孔５６の周りに沿って収納溝６２が設けられている。また、ハンドレスト本体６の裏面５８には第４貫通孔５６の周りに沿って収納溝６３が設けられている。
【００２８】
第４貫通孔５６は断面形状がトラック状の長孔であり、ハンドレスト本体６の長手方向に対して直交方向に延びている。第４貫通孔５６の短径は第１締結部材８のボルト３６の胴部３８の外径と同じかやや大きく、第２締結部材１０のボルト３６の頭部３９の外径よりも小さい。なお、ここでいうトラック状とは、上記したように長方形における２本の短辺を、それぞれ半円に置き換えた形状のことを示す。また、短径とはこの短辺の長さを示す。
【００２９】
また、第４貫通孔５６は接続溝５３を挟んで対向する位置にあり、接続溝５３を介して連続している。即ち、第４貫通孔５６は、第２締結部材１０がハンドレスト本体６の厚さ方向に挿通可能であり、ハンドレスト本体６全体を貫通したものである。
【００３０】
第２締結部材１０は、図４のようにボルト３６とナット３７とを備えており、ボルト３６には円板状の頭部３９と略円柱状の胴部３８を有しており、頭部３９と胴部３８では外径が異なる。ボルト３６の頭部３９の外径は胴部３８に比べて大きい。ボルト３６の胴部３８の長さはハンドレスト本体６の幅方向の長さよりも長い。また、ボルト３６の胴部３８には、頭部３９側から順に、図示しないブッシュを備えた基軸部８３とネジ状の螺合部８４を備えている。基軸部８３の長さはハンドレスト本体６の収納溝６２と収納溝６３間の距離とほぼ等しい。螺合部８４の長さはナット３６の厚みとほぼ等しい。
【００３１】
ここで、ハンドレスト１の組み立て構造について図面を参照しながら説明する。
【００３２】
支持部材２ａ、２ｂは、図４、６のように互いに内側底面１５が対面する配置となっている。また、図４、６、７のように支持部材２ａ、２ｂの張出部１１間の距離又は支持部材２ａ、２ｂの張出部１２ａ、１２ｂ間の距離は第１接続部材３の表面１７から裏面１８までの厚みにほぼ等しい。また、支持部材２ａ、２ｂの内側底面１５同士の距離は第１接続部材３の突出部２０ａ、２０ｂ間の距離又は突出部２１ａ、２１ｂ間の距離にほぼ等しい。支持部材２の張出部１１の天面５５ａ、５５ｂは載置棚１００の下面に配されており、図示しないボルト等の接続部材によって固定されている。支持部材２は載置棚１００の張出方向（図２の前後方向）に延伸するように設置されている。
【００３３】
支持部材２の可動空間７ａ、７ｂ間には第１接続部材３が配されている。即ち、可動空間７ａ７ｂ内には突出部２０、２１が侵入しており、支持部材２の長手方向に滑動自在に配されている。第１接続部材３の切り欠き部２２には、図１０のように第２接続部材５の端部が挿入されており、第１接続部材３の二股部２３ａ、２３ｂの第１貫通孔２５及び第２接続部材５の貫通孔３３に亘って第１締結部材８のボルト２７が挿入されている。ボルト２７の頭部３０は収納溝２６に嵌入しており、第１締結部材８の正面１７と面一になっている。ナット２８は収納溝３２に嵌入しており、第１締結部材８の裏面１８と面一になっている。また、ボルト２７には図示しないブッシュを備えた基軸部８１を有しているため、ボルト２７の胴部３１を回転軸として第１接続部材３に対して第２接続部材５の周方向の回転を可能としている。
また、ハンドレスト本体６の骨格部５１の接続溝５３には、図１１のように第２接続部材５の端部が侵入しており、骨格部５１の第４貫通孔５６と第２接続部材５の第３貫通孔３５に亘って第２締結部材１０のボルト３６の胴部３８が挿入されている。ボルト３６の頭部３９は収納溝６２に嵌入し、骨格部５１の正面５７と面一になっている。ナット３７は収納溝６３に嵌入し、骨格部５１の裏面５８と面一になっている。また、ボルト３６には図示しないブッシュを備えた基軸部８３を有しているため、ボルト３６の胴部３８を回転軸として第２接続部材５に対してハンドレスト本体６の周方向の回転を可能としている。
【００３４】
続いて、ハンドレスト１の設置動作について図面を参照しながら説明する。
まず、収納時（不使用時）の状態では、ハンドレスト１が載置棚１００の下面に沿うように収納されており、載置棚１００の端面１０１の内側にハンドレスト１が収納されている（図１２（ａ））。即ち、載置棚１００よりも遊技機側に収納されているため、遊技者がハンドレスト１を使用せず、遊技中ハンドレスト１が収納状態であっても、遊技者の膝の移動に邪魔にならない。また、収納時のハンドレスト１はハンドレスト本体６の載置面５２が下方を向いており、遊技者が立ち上がる時に膝をハンドレスト本体６の載置部５０にぶつけても、痛みを緩和することができる。また、支持部材２の端面６０がハンドレスト本体６の骨格部５１の端面６１に当接している。即ち、第１接続部材３と第２接続部材５の一部は支持部材２内に収納されている。
【００３５】
次に、支持部材２の長手方向の手前側に支持部材２に対して相対的に第１接続部材３を引き出す（図１２（ｂ）の実線）。その際、第１接続部材３の突出部２０、２１は支持部材２の長手方向の手前側に滑動し、第１接続部材３の中央付近に位置する突出部２１が係止部１６によって係止される。即ち、係止部１６は第１接続部材３が支持部材２から脱落することを防止できる。なお、この時、第２接続部材５及びハンドレスト本体６は第１接続部材３と一体的に動く。また、突出部２０、２１に固体潤滑性の材料を使用しているため、支持部材２に対して相対的な滑動が可能となっている。
【００３６】
次に、第１締結部材８を回転軸として、第２接続部材５を第１接続部材３に対して相対的に周方向（載置棚１００の厚み方向）におよそ９０度回転させる（図１２（ｂ）の破線）。即ち、第２接続部材５は第１締結部材８のボルト２７の胴部を回転軸として回転し、載置棚１００の端面１０１に対してほぼ平行の位置となる。なお、この時、ハンドレスト本体６は第２接続部材５と一体的に動き、第１接続部材３は係止部１６に係止されているため不動である。
【００３７】
その後、ハンドレスト本体６が第２接続部材５に対して第２締結部材１０を軸として相対的に周方向におよそ９０度回転し、載置棚１００の上面１０２にハンドレスト本体６を設置する（図１２（ｃ））。即ち、第２締結部材１０のボルト３６の胴部を回転軸として回転し、第１接続部材３とハンドレスト本体６の骨格部５１の接触面６５は載置棚１００を挟んで略平行となる。なお、この時、骨格部５１の接触面６５は載置棚１００の上面１０２と接触している。ハンドレスト本体６は載置棚１００上に載っているため、ハンドレスト本体６に遊技者の力が加わっても、外れることがない。ハンドレスト本体６の載置部５０はクッション性を有する素材で構成されているため、ハンドル把持による手首の疲労を分散させることが可能となる。
【００３８】
また、ハンドレスト本体６の骨格部５１の第４貫通孔５６はトラック状の長孔であるため、第２締結部材１０の締め付けを緩めることによって、ハンドレスト本体６を載置棚１００の厚み方向への移動を可能としている。即ち、載置棚１００の厚みが薄い場合、図１３（ａ）のように第４貫通孔５６に沿ってハンドレスト本体６を下方へ移動させることによって調整可能である。載置棚１００の厚みが厚い場合、図１３（ｂ）のように第４貫通孔５６に沿ってハンドレスト本体６を上方へ移動させることによって調整可能である。言い換えると、ハンドレスト本体６の設置する際において、ハンドレスト本体６の位置を載置棚１００の厚みに合わせて上下動させることによって、ハンドレスト１の位置調整が可能である。
【００３９】
上記した実施形態では、突出部２０、２１の表面に固体潤滑性を有するもので覆ったため、支持部材２に対して相対的な滑動を可能にしたが、本発明はこれに限定されるものではない。例えば、突出部２０、２１そのものが固体潤滑性材料であっても良い。
【００４０】
続いて、以下、本発明の第２実施形態について説明する。なお、第１実施形態と同様のものは同じ付番を付して説明を省略する。
【００４１】
第２実施形態のハンドレスト４０は、第１実施形態の第１接続部材６の構成が異なる。
【００４２】
具体的には、第１接続部材４１は、図１４のように突出部２０、２１の代わりに嵌合孔４２、４３が設けられ、車輪部材４５が取り付けられている。嵌合孔４２、４３は車輪部材４５のネジ部４７と螺合可能な孔である。また、その配置は突出部２０、２１と同じ位置である。車輪部材４５はネジ状のネジ部４７と周方向に回転可能な車輪部４８を有する。車輪部４８は支持部材２の張出部１１、１２をレールとして回転する。即ち、車輪部４８が回転することによって、支持部材２の長手方向に沿って第１接続部材４１を移動させる。なお、支持部材２は車輪部材４５が支持部材２の張出部１１、１２の短手方向の長さよりも小さく、車輪部材４５の車輪部４８の外径は支持部材２の張出部１１、１２間の距離とほぼ同じかやや小さくなるように設計されている。
【００４３】
続いて、以下、本発明の第３実施形態について説明する。なお、第１実施形態と同様のものは同じ付番を付して説明を省略する。
【００４４】
第３実施形態にかかるハンドレスト７０は、図１５のように巻き取り部材７１と接続部材７２とハンドレスト本体７５とを備えている。
【００４５】
巻き取り部材７１は接続部材７２を巻き取り可能な部材であり、ケース７８と接続部材７２を巻き取り可能なリール７６と接続部材７２の移動を制限可能な制御レバー７７を有している。
リール７６は、制御レバー７７と係合可能なボビンである。リール７６は接続部材７２を巻き取る方向に付勢されている。また、制御レバー７７はリール７６と係合しており、リール７６の回転に合わせて、摺動可能な部材である。制御レバー７７はリール７６の巻き取る方向への移動を係止する係止機構を備えている。制御レバー７７を解除するとリール７６の巻き取る方向への移動を係止する係止機構も解除可能である。
接続部材７２は紐状体であり、ハンドレスト本体７５の重みに耐える強度を有する。また、接続部材７２は折り曲げ自在の剛性を有する。接続部材７２の一方の端部はリール７６と接着されており、接続部材７２が離反することを防止している。接続部材７２の他方の端部はハンドレスト本体７５に接着されている。
ハンドレスト本体７５は、接続溝５３の有無及び接続方法の違い以外はハンドレスト本体６と同様である。
【００４６】
以下、ハンドレスト７０の設置動作について説明する。
【００４７】
不使用時にはリール７６が接続部材７２を巻き取っており、ケース７８の一部とハンドレスト本体７５の一部が当接している（図１６（ａ））。即ち、接続部材７２がケース７８内に収納されている。ハンドレスト本体７５を遊技者側に引き出すとリール７６が回転し、接続部材７２がケース７８の外部に送り出される。そして、図１６（ｂ）のように接続部材７２を折り曲げて、載置棚１００の上面１０２にハンドレスト本体７５を設置する。この時、一度、接続部材７２がケース７８の外部に送り出されると制御レバー７７の係止機構が働き、リール７６の巻き取り方向の回転が制限され、接続部材７２がケース内に戻ることはない。また、制御レバー７７を解除すると係止機構が解除され、緩やかにリール７６が巻き取る方向に回転し、接続部材７２がケース７８内に収納される。即ち、不使用時の状態に戻る。
【００４８】
上記した第３実施形態では、載置棚１００に加工を施していないが、図１７のように載置棚１００の端面１０１に切り欠き溝を設けることが好ましい。切り欠き溝によって、ハンドレスト本体７５の安定性が増加する。
【符号の説明】
【００４９】
１  ハンドレスト
２  支持部材（接続手段）
３  第１接続部材（接続手段）
５  第２接続部材（接続手段）
６  ハンドレスト本体
４０  ハンドレスト
７０  ハンドレスト
７２  接続部材（接続手段）
７５  ハンドレスト本体
７８  ケース（支持部材）
１００載置棚
１０２上面
１５０パチンコ機（弾球遊技機）
１５１遊技島（群）
１５３ハンドル（操作部）
【図１】
0005890092.tif 000002
【図２】
0005890092.tif 000003
【図３】
0005890092.tif 000004
【図４】
0005890092.tif 000005
【図５】
0005890092.tif 000006
【図６】
0005890092.tif 000007
【図７】
0005890092.tif 000008
【図８】
0005890092.tif 000009
【図９】
0005890092.tif 000010
【図１０】
0005890092.tif 000011
【図１１】
0005890092.tif 000012
【図１２】
0005890092.tif 000013
【図１３】
0005890092.tif 000014
【図１４】
0005890092.tif 000015
【図１５】
0005890092.tif 000016
【図１６】
0005890092.tif 000017
【図１７】
0005890092.tif 000018